(57)【要約】【課題】全ての遊技者に対して表示器、スピーカーなどの報知器の位置や向きを適正に設定できるようにする。【解決手段】遊技に関わる情報を遊技者へ伝達するための報知器として、液晶表示器１２とスピーカー１５とを備えている。液晶表示器１２およびスピーカー１５は、調節機構３０，４０を備えたものである。液晶表示器１２は調節機構３０によって垂直方向の向きが調節でき、各スピーカー１５は調節機構４０によって周方向の向きが調節できる。【選択図】  図１
2004229956.tif 000002
【特許請求の範囲】
【請求項１】
遊技に関わる情報を遊技者の視覚または聴覚に訴えて遊技者へ伝達するための報知器を備える遊技機において、前記報知器は、前記遊技に関わる情報を伝達する媒体の伝達方向を変えることが可能な調節機構を備えて成る遊技機。
【請求項２】
前記報知器は、機械の中心線上に配置された表示器であり、前記調節機構によって垂直方向の向きが調節可能となっている請求項１に記載された遊技機。
【請求項３】
前記報知器は、機械の中心線に対して一側へ偏った位置または左右対称位置に配置された表示器であり、前記調節機構によって水平方向の向きが調節可能となっている請求項１に記載された遊技機。
【請求項４】
前記報知器は、機械の中心線に対して左右対称位置に配置されたスピーカーであり、前記調節機構によって周方向の向きが調節可能となっている請求項１に記載された遊技機。
【請求項５】
前記調節機構は、手動により調節するものである請求項１〜４のいずれかに記載された遊技機。
【請求項６】
前記調節機構は、電動により調節するものである請求項１〜４のいずれかに記載された遊技機。
【発明の詳細な説明】
【０００１】
【発明の属する技術分野】
この発明は、スロットマシンやパチンコ機のように、遊技に関わる各種の情報を遊技者の視覚または聴覚に訴えて遊技者へ伝達するための報知器を備える遊技機に関する。
【０００２】
【従来の技術】
典型的なスロットマシンでは、正面の図柄表示窓の内側に外周面を図柄表示窓に向けて３個のリールが設置されている。各リールの外周面には特別の役や小役などに関わる図柄が複数個（例えば２１個）表されている。遊技者によるゲーム開始操作があると、３個のリールが始動し、リール毎の停止釦スイッチが押操作される度に、対応するリールが停止する。
【０００３】
全てのリールが停止したとき、図柄表示窓内の入賞ライン上に並んだ図柄の組み合わせが所定の組み合わせであれば、特別の役や小役が成立し、役の種類に応じて、予め決められた枚数のメダルがゲームの配当として払い出される。特別の役が成立したときは、遊技者に「ボーナスゲーム」と呼ばれる特別のゲームを実施する機会が与えられる。
【０００４】
典型的なスロットマシンでは、始動レバーの操作があると、機械内部で乱数による抽選処理が実行される。この内部抽選によって特別の役や小役に当選すると、遊技者による停止釦操作があったとき、図柄表示窓内に特別の役や小役に関わる図柄を所定の駒数（例えば５駒）の範囲内で入賞ライン上に引き込んでリールを強制的に停止させる、いわゆる「引込制御」が実行される。
【０００５】
上記した一連の遊技過程において、遊技に関わる情報（例えば抽選結果やゲーム結果などに関わる情報）を遊技者へ伝達するために、機械の前面には種々の態様の報知器が設けられている。この種の報知器として、遊技者の視覚に訴えて情報を伝達する表示器と遊技者の聴覚に訴えて情報を伝達するスピーカーとがあるが、近年のスロットマシンでは、演出効果を高めるために、表示器として液晶表示器を用いた機種が出現し、また、スピーカーとして従来は機械の下部一カ所に設置していたものを上部二カ所に設置するようにした機種が出現した（特許文献１参照。）。
表示器として液晶表示器を用いれば、遊技に関わる情報を多色の文字や図柄の画像によって動的に表現できる。また、スピーカーを機械の上部二カ所に設置すれば、遊技者の耳元で迫力のある効果音を発生できる。
【０００６】
【特許文献１】
特開２００２−１６５９１８号公報（第４頁、図１）
【０００７】
【発明が解決しようとする課題】
しかしながら、液晶表示器を用いたり、スピーカーを機械の上部二カ所に設置したりしても、液晶表示器に表示される画像やスピーカーが発する音には指向性があり、一方、遊技者の座高や遊技者が腰掛ける椅子の高さにはばらつきがあるため、全ての遊技者にとって液晶表示器やスピーカーの向きが常に最適であるとは限らない。液晶表示器やスピーカーの向きが適正でない場合、演出効果が高められないばかりでなく、遊技者にとって液晶表示器に表示された画像が見づらかったり、スピーカーより発せられた音が聞きづらかったりして、遊技に関わる情報の伝達に支障をきたすおそれもある。
【０００８】
この発明は、上記した問題に着目してなされたもので、全ての遊技者に対して表示器、スピーカーなどの報知器の向きを適正に設定でき、遊技に関わる情報の伝達に支障をきたさず、また、演出効果を高めることもできる遊技機を提供することを目的とする。
【０００９】
【課題を解決するための手段】
この発明による遊技機は、遊技に関わる情報を遊技者の視覚または聴覚に訴えて遊技者へ伝達するための報知器を備えたものであり、前記報知器は、前記遊技に関わる情報を伝達する媒体の伝達方向を変えることが可能な調節機構を備えている。
【００１０】
この発明の上記した構成において、「遊技に関わる情報」には、例えばスロットマシンにおいては、内部抽選の当選の有無を知らせるための情報、役の成立の有無を知らせるための情報などが含まれる。
また、「遊技に関わる情報を伝達する媒体」とは、光や音などであり、光を前記媒体とする「報知器」には液晶やランプなどの表示器が、音を前記媒体とする「報知器」にはスピーカーが、それぞれ含まれる。
【００１１】
この発明の一実施態様においては、前記報知器は機械の中心線上に配置された表示器であり、前記調節機構によって垂直方向の向きが調節可能となっている。
【００１２】
他の実施態様においては、前記報知器は機械の中心線に対して一側へ偏った位置または左右対称位置に配置された表示器であり、前記調節機構によって水平方向の向きが調節可能となっている。
【００１３】
さらに他の実施態様においては、前記報知器は機械の中心線に対して左右対称位置に配置されたスピーカーであり、前記調節機構によって周方向の向きが調節可能となっている。
【００１４】
この発明の前記調節機構には種々の形態があるが、その一は手動により調節するものであり、その二は、電動により調節するものである。
電動により調節する方式として、自動車の電動ミラーの機構を流用することが可能であり、例えば十字キーなどで構成される操作部、減速機付きモータを駆動源として３６０度の範囲にわたって周方向へ首振り動作する駆動機構などをもって構成することができる。なお、この種の電動駆動機構を用いる場合、遊技機の動作を制御するメインの回路基板とは別にサブの回路基板を設け、十字キーからの入力をサブの回路基板に与えてサブの回路基板に接続された減速機付きのモータを起動するようにすれば、メインの回路基板に負担をかけることがない。
【００１５】
【作用】
この発明による遊技機において、遊技者は自己の頭部位置に応じて調節機構を動作させることにより報知器の向きを変え、遊技に関わる情報を伝達する光、音などの媒体の伝達方向を変えることができる。このようにして報知器の向きが適正に設定できるので、遊技に関わる情報の伝達に支障をきたさず、また、演出効果も高められる。
【００１６】
【発明の実施の形態】
図１は、この発明の一実施例であるスロットマシンの外観を示す。
図示例のスロットマシンは、箱状の本体部２の前面開口に扉部３が開閉可能に取り付けられて機体１が構成されている。本体部２の内部には、図２に示すように、メダル払出機６や電源ユニット１０などが組み込まれている。また、その上方位置には、スピーカー１４、制御装置が実装された回路基板５、およびリールブロック４が配備されている。
なお、制御装置は、マイクロコンピュータより成るものであり、制御、演算の主体であるＣＰＵ、プログラムや固定データが格納されるＲＯＭ、データの読み書きに用いられるＲＡＭなどを含んでいる。
【００１７】
前記リールブロック４は、合成樹脂製のフレーム７に３個のリール８ａ，８ｂ，８ｃが一体に組み付けられて成る。各リール８ａ，８ｂ，８ｃは、リール枠の外周面に帯状テープが貼設されたものである。前記帯状テープには複数個（例えば２１個）の図柄が表されている。この図柄には、「ビッグボーナス」や「レギュラーボーナス」などの特別の役に関わる図柄、小役に関わる図柄など、複数種の図柄が含まれている。このリールブロック４には、各リール８ａ，８ｂ，８ｃを個別に回転駆動するステッピングモータ９ａ，９ｂ，９ｃが一体に組み付けられている。
【００１８】
前記扉部３の前面には、中央に正面パネル１１を有し、下方には下部パネル１３が配置されている。各パネル１１，１３は、透明な合成樹脂板または強化ガラスの表面にシルクスクリーン印刷を施して形成されており、下部パネル１３には機種名などの情報が表されている。下部パネル１３の下方には、メダル払出口１７およびメダル受皿１８が配置されている。
【００１９】
前記正面パネル１１の上方には、機械の中心線上に液晶表示器１２が、機械の中心線に対して左右対称位置にスピーカー１５，１５が、それぞれ配置されている。前記液晶表示器１２は遊技に関わる種々の情報、例えば内部抽選の結果やゲームの結果などを文字や図柄などで表示することにより遊技者に伝達するものである。また、各スピーカー１５は遊技に関わる同様の情報を効果音や音声などを発生することにより遊技者に伝達するものである。
【００２０】
機体１の扉部３には、液晶表示器１２を取り付けるための矩形状の開口部３１が形成されている。その開口部３１には液晶表示器１２がその両端を支持する左右一対の側枠３２，３２とともに嵌め込まれている。左右の各側枠３２は、液晶表示器１２の垂直方向の向きを調節可能となす調整機構３０を構成するものであり、図３に示すように、各側枠３２の外周面３２ａを円弧状に形成し、この側枠３２の外周面３２ａを前記開口部３１の両端部の上下に形成された円弧状の支持面３１ａ，３１ａにより摺動自由に支持している。
【００２１】
各側枠３２には回転軸３３が外向きに突設されている。一方、開口部３１の両端部には軸受穴（図示せず。）を有する支持壁がそれぞれ設けてあり、前記回転軸３３を軸受穴により回動自由に支持している。各側枠３２の外面の上下位置にはさらに円弧状のガイド溝３４が形成されており、前記支持壁に突設されたガイドピン３５を各ガイド溝３４に係合させて側枠３２の回動角度範囲を規制している。
なお、図中、３２ｂは各側枠３２の外周面３２ａに形成された操作部であり、遊技者はこの操作部３２ｂに指先を当てて側枠３２を回動操作する。
【００２２】
機体１の扉部３には、さらに、液晶表示器１２の両側位置に、図４に示すように、スピーカー１５をそれぞれ取り付けるための円形状の開口部４１が形成されている。前記開口部４１には円環状の取付枠４２が嵌められ、その取付枠４２の内側にスピーカー１５がその外周を支持する筒状のスピーカーボックス４３によって嵌め込まれている。前記取付枠４２およびスピーカーボックス４３は、スピーカー１５の周方向の向きを調節可能となす調整機構４０を構成するものであり、前記スピーカーボックス４３の外周面には一周する凸条４３ａが、前記取付枠４２の内周面には前記凸条４３ａを摺動自由に支持する支持溝４２ａが、それぞれ形成されている。
【００２３】
前記スピーカー１５はスピーカーボックス４３の内部に垂直面に対して所定の角度αをもたせて取り付けられており、スピーカーボックス４３を３６０度の範囲にわたって回動させることによりスピーカー１５の向きが３６０度の範囲で変わるようになっている。なお、図中、４４はスピーカー１５の前面を覆うカバー、４５はスピーカー１５の背後に被せられた蓋である。
【００２４】
上記の実施例では、スピーカー１５は周方向のいずれの向きでも垂直面に対して常に同じ角度αをなすものであるが、図５に示す実施例のように、スピーカーボックス４３を自在継ぎ手５１を介して支持するようにして調節機構４０を構成すれば、周方向の向きのみならず前記角度αを可変とすることができる。
【００２５】
前記正面パネル１１は、図６に示すように、板面中央に無着色で透明の図柄表示窓２０が形成されている。図柄表示窓２０の背後には、前記リールブロック４の各リール８ａ，８ｂ，８ｃが外周面を図柄表示窓２０に向けて配置されている。この図柄表示窓２０は、リール停止時に各リール８ａ，８ｂ，８ｃについてそれぞれ３個の図柄Ｓ（合計９個の図柄Ｓ）が見えるように、横に長い矩形状に形成されている。
【００２６】
正面パネル１１の表面の図柄表示窓２０の位置には、３本の水平な入賞ラインＬ１〜Ｌ３と、右下がりおよび左下がりの２本の斜めの入賞ラインＬ４，Ｌ５とが表されている。リール停止時、これらの５本の入賞ラインＬ１〜Ｌ５に沿って各リール８ａ，８ｂ，８ｃの３駒分の図柄Ｓが整列する。
【００２７】
５本の入賞ラインＬ１〜Ｌ５は、メダルの賭枚数に応じて有効化されるもので、賭枚数が１枚であれば中央の水平な入賞ラインＬ１のみが、賭枚数が２枚であれば３本の水平な入賞ラインＬ１〜Ｌ３が、賭枚数が３枚であれば５本全ての入賞ラインＬ１〜Ｌ５が、それぞれ有効化される。なお、図中、２９は有効化された入賞ラインＬ１〜Ｌ５を点灯動作により表示するためのライン毎のランプである。
【００２８】
正面パネル１１の図柄表示窓２０の下方位置には、貯留枚数表示器２１、払出枚数表示器２２、および役物用表示器２３が配置されている。前記貯留枚数表示器２２には電子データの形式で機械に貯留されている貯留メダルの枚数が数値で表示される。払出枚数表示器２２には役の成立時に遊技者に配当として与えられるメダルの枚数が数値で表示される。役物用表示器２３はボーナスゲームの実行時におけるゲーム回数や入賞回数などに関わる情報の表示に用いられる。
【００２９】
正面パネル１１の下方には、メダル投入口２４、ベット釦スイッチ２７、始動レバー２５，精算スイッチ２８、３個の停止釦スイッチ２６ａ，２６ｂ，２６ｃなどが配備されている。
メダル投入口２４はメダルの投入を受け付ける部分であり、貯留メダルの枚数がゼロの状態でメダル投入口２４へメダルが投入されたとき、３枚までは賭メダルとして受け付けられ、３枚を越えると、貯留メダルとして受け付けられる。
【００３０】
ベット釦スイッチ２７は前記貯留メダルの総数より３枚の貯留メダルを引き落として賭メダルに変換するのに操作される。始動レバー２５は３個のリール８ａ，８ｂ，８ｃを一斉に始動させるためのものである。３個の停止釦スイッチ２６ａ，２６ｂ，２６ｃは対応するリール８ａ，８ｂ，８ｃを個別に停止させるためのものである。精算スイッチ２８は貯留メダルを精算してメダル払出口１７よりメダル受け皿１８へ払い出させるためのものである。
【００３１】
なお、上記の実施例では、液晶表示器１２は正面パネル１１の上方に設置されているが、正面パネル１１の一側位置に設置してもよく、また、図７に示すように、正面パネル１１の挟む両側位置に設置してもよい。
正面パネル１１の一側位置または両側位置に液晶表示器１２を設置する場合、各液晶表示器１２は調節機構６０をもって水平方向の向きが調節可能に構成される。なお、図示例の調節機構６０は、図３に示した調節機構３０の向きを変えたものであって、同様の構造であるから、ここでは詳細な説明を省略する。
【００３２】
上記した構成のスロットマシンにおいて、遊技者は、図８に示すように、自己の頭部位置に応じて手操作により調節機構３０，４０を動作させて液晶表示器１２をその表示が見やすいように向きを設定し、また、スピーカー１５からの音が聞き取りやすいように向きを設定する。このようにして液晶表示器１２やスピーカー１５の向きが適正に設定されるので、液晶表示器１２に文字や図柄をもって表示された遊技に関わる情報やスピーカー１５から音によって示された遊技に関わる情報が確実に遊技者に伝達される。
【００３３】
【発明の効果】
この発明によれば、全ての遊技者に対して表示器、スピーカーなどの報知器の向きを適正に設定できるので、遊技に関わる情報の伝達に支障をきたさず、また、演出効果を高めることもできる。
【図面の簡単な説明】
【図１】この発明の一実施例であるスロットマシンの正面図である。
【図２】スロットマシンの本体部の内部構造を示す正面図である。
【図３】液晶表示器の取付構造を示す断面図である。
【図４】スピーカーの取付構造を示す断面図である。
【図５】スピーカーの他の取付構造を示す斜視図である。
【図６】正面パネルの構成を示す正面図である。
【図７】液晶表示器の他の実施例を示す断面図である。
【図８】遊技者が遊技をしている状態を示す側面図である。
【符号の説明】
１２  液晶表示器
１５  スピーカー
３０，４０，６０  調節機構
【図１】
2004229956.tif 000003
【図２】
2004229956.tif 000004
【図３】
2004229956.tif 000005
【図４】
2004229956.tif 000006
【図５】
2004229956.tif 000007
【図６】
2004229956.tif 000008
【図７】
2004229956.tif 000009
【図８】
2004229956.tif 000010